(57)【要約】【課題】ユーザが設計結果を視認して検討した地図上のエリアの履歴情報を可視化して、計算機シミュレータを用いた無線通信設計の支援を行う情報提示装置を提供する。【解決手段】操作手段４０１から入力操作を行うと、提示情報生成手段４０３は入力操作の操作種別を判断する。操作種別が設計操作情報であれば、エリア毎操作履歴保持手段４０６が、最新の表示エリア情報と提示情報生成手段４０３から入力された設計操作情報とを関連付けて、エリア毎の操作履歴情報を操作履歴ＤＢ４０８へ記録する。提示情報生成手段４０３は、自己が取得した新たに表示する地図情報と、操作履歴ＤＢ４０８から取得したエリア毎に集計された操作履歴情報とを合わせて提示情報を生成して表示手段４０２へ出力する。表示手段４０２は、提示情報生成手段４０３から入力された提示情報（すなわち、地図情報に重畳されたエリア毎の操作履歴情報）を可視的に表示する。【選択図】図１
2010011221.tif 000002
【特許請求の範囲】
【請求項１】
地図情報を表示して無線通信エリアの設計を支援する情報提示装置であって、
前記地図情報及び前記無線通信エリアの設計情報の入力操作を行う操作手段と、
前記地図情報に基づいて表示された無線通信エリアと、該無線通信エリアを閲覧しながら実行する前記地図情報以外の入力操作の履歴情報とを関連付けて保持するエリア毎操作履歴保持手段と、
前記地図情報を保持する地図データベースと、
前記操作手段が行う入力操作の履歴情報を保持する操作履歴データベースと、
前記操作手段が行う入力操作の操作回数または操作時間の合計値を前記無線通信エリア毎に算出するエリア毎操作履歴取得手段と、
前記地図情報の入力操作の履歴情報と該地図情報以外の入力操作の履歴情報とを対応させた提示情報を生成する提示情報生成手段と、
前記提示情報生成手段が生成した提示情報を可視的に表示する表示手段と
を備えることを特徴とする情報提示装置。
【請求項２】
前記表示手段は、前記地図情報以外の入力操作の履歴情報を前記地図情報に重畳して表示することを特徴とする請求項１に記載の情報提示装置。
【請求項３】
前記地図情報以外の入力操作は前記設計情報の入力操作であって、
エリア毎操作履歴保持手段は、前記無線通信エリアと前記設計情報の入力操作の履歴情報とを関連付けて保持し、
前記エリア毎操作履歴取得手段は、前記設計情報の入力操作の操作回数または操作時間の合計値を前記無線通信エリア毎に算出することを特徴とする請求項１または２に記載の情報提示装置。
【請求項４】
前記表示手段は、前記設計情報の入力操作の履歴情報を前記地図情報に重畳して表示することを特徴とする請求項３に記載の情報提示装置。
【請求項５】
地図情報を表示して無線通信エリアの設計を支援する情報提示方法であって、
前記地図情報の入力操作または前記無線通信エリアの設計情報の入力操作を行う第１のステップと、
前記入力操作の種別が前記地図情報であるか前記設計情報であるかを判定する第２のステップと、
前記入力操作の種別が前記設計情報である場合は、前記地図情報に表示された最新の無線通信エリアの情報と入力操作された前記設計情報とを関連付けて記録する第３のステップと、
新たに表示する無線通信エリアの地図情報を取得する第４のステップと、
前記第４のステップで取得した地図情報に対応して前記設計情報の入力操作の履歴情報を取得する第５のステップと、
前記地図情報の入力操作の履歴情報と前記設計情報の入力操作の履歴情報とを前記無線通信エリア毎に対応させた提示情報を生成する第６のステップと、
前記第６のステップで生成された提示情報を可視的に表示する第７のステップと
を含むことを特徴とする情報提示方法。
【請求項６】
請求項５に記載の情報提示方法をコンピュータに実行させる情報提示プログラム。
【発明の詳細な説明】
【技術分野】
【０００１】
本発明は、陸上無線通信の通信エリア設計システムに適用される情報提示装置等に関し、特に、通信エリア品質の解析作業に用いられる情報提示装置、情報提示方法、及び情報提示方法をコンピュータに実行させる情報提示プログラムに関する。
【背景技術】
【０００２】
携帯電話網などの無線通信システムを設計する場合は、設置される無線基地局の位置やアンテナパラメータなどに応じて、任意の場所へ電波がどの程度の損失を受けて到達するかについて計算し、その計算結果に基づく受信レベルを地図上に表示する計算機シミュレータを用いることが一般的になされている。例えば、屋外において建物の各階の壁面に受信点を配置して計算機シミュレーションを行い、各受信点での受信レベルを算出して、算出結果の受信レベルに応じて三次元地図上に色分けして表示する方法が開示されている（特許文献１参照）。
【０００３】
この計算機シミュレータを使用した無線設計においては、エリアごとの受信特性に応じた重要度を考慮した重要エリアの無線設計が必要となる。重要エリアとは、例えば、無線通信の品質が劣化して通信上の問題が頻繁に発生するエリアや、公共性の高いビルが多く存在するエリアなどである。これらの重要エリアの情報は、無線設計時に得られた知見として記録しておき、再度の無線設計時に活用することが望ましい。設計時に得られた知見を記録する方法としては、一般にはメモを電子的に残すことや、計算機シミュレーションの動作ログを残すことが考えられる。しかし、メモに残す内容は作成者の主観に基づいたものであり、それぞれの作成者によって重要な知見と感じる事項が異なったり、作成者が重要な情報を書き忘れたりすることもある。また、動作ログを残す場合は、計算機シミュレーションの動作ログが膨大になる可能性があり、膨大な動作ログの中から重要な情報を見つける手順が明確でないという問題がある。
【０００４】
そこで、遠隔監視システムにおけるエリアごとの重要度として、エリアごとの選択表示回数などの表示履歴情報を提示する情報提示方法が開示されている（特許文献２参照）。この情報提示方法の場合は、選択表示回数が多いエリアほど注目して監視していると対応付けられている。従って、このような選択表示回数の多いエリア情報を優先的に表示することで、利用者がスコープを明示的に選択することなく、適切なスコープに関する地図情報を最初に提示することができるので、利用者の検索負担を軽減することができる。
【特許文献１】特開２００２−４４０３４号公報（段落番号００２３〜００２７、及び図１、図２参照）
【特許文献２】特開２００１−９２８３６号公報（００６９〜００７５、及び図１、図４参照）
【発明の開示】
【発明が解決しようとする課題】
【０００５】
しかしながら、無線通信システムの無線設計においては選択表示回数が高いエリアが必ずしも重要エリアとは限らない。例えば、無線通信の品質が劣化して通信上の問題が頻繁に発生するエリアや、公共性の高いビルが多く存在するエリアなどを無線設計上の重要エリアとして捉える場合、これらの重要エリアは必ずしも選択表示回数が高いエリアとは限らない。従って、上記特許文献２に開示されている技術を用いて、地図操作ごとに表示回数を保持して提示したとしても、無線設計上の重要エリアを再設計時に優先的に認識することはできない。
【０００６】
そこで、本発明は上記の課題に鑑みてなされたものであり、電波伝搬解析装置を用いた無線設計において、親局や中継局となる置局の頻度やパラメータ変更の頻度が高い設計上重要なエリア情報を保持して可視化できるようにした情報提示装置、情報表示方法、及び情報表示プログラムを提供することを目的とする。
【課題を解決するための手段】
【０００７】
本発明の情報提示装置は、前記の目的を達成するために創案されたものであり、本発明に基づく情報提示装置は、地図情報を表示して無線通信エリアの設計を支援する情報提示装置であって、地図情報及び無線通信エリアの設計情報の入力操作を行う操作手段と、地図情報に基づいて表示された無線通信エリアと、無線通信エリアを閲覧しながら実行する地図情報以外の入力操作の履歴情報とを関連付けて保持するエリア毎操作履歴保持手段と、地図情報を保持する地図データベースと、操作手段が行う入力操作の履歴情報を保持する操作履歴データベースと、操作手段が行う入力操作の操作回数または操作時間の合計値を無線通信エリア毎に算出するエリア毎操作履歴取得手段と、地図情報の入力操作の履歴情報と地図情報以外の入力操作の履歴情報とを対応させた提示情報を生成する提示情報生成手段と、提示情報生成手段が生成した提示情報を可視的に表示する表示手段とを備える構成を採っている。
【０００８】
このような構成によれば、地図情報の表示操作の履歴と、各エリアを表示しながら実行した設計操作の履歴とを関連付けて保持し、地図上の各エリアについて、当該エリアを表示しながら実行した設計操作の回数に応じて色づけして表示することにより、ユーザに対して操作情報を可視的に表示することができる。
【０００９】
また、本発明の情報提示装置の好適な実施形態としては、表示手段は、地図情報以外の入力操作の履歴情報を地図情報に重畳して表示することを特徴とする。さらに、地図情報以外の入力操作は設計情報の入力操作であって、エリア毎操作履歴保持手段は、無線通信エリアと設計情報の入力操作の履歴情報とを関連付けて保持し、エリア毎操作履歴取得手段は、設計情報の入力操作の操作回数または操作時間の合計値を無線通信エリア毎に算出することを特徴とする。さらに、表示手段は、設計情報の入力操作の履歴情報を地図情報に重畳して表示することを特徴とする。
【発明の効果】
【００１０】
本発明の情報提示装置によれば、無線通信エリアの設計の操作頻度を、当該操作時に表示していた無線通信エリアごとに履歴として保持することで、設計上重要な無線通信エリアをユーザに対して可視的に提示（表示）することができる。また、無線通信エリアごとの設計操作の頻度のみを表示することにより、ユーザに提示するため、全ての操作履歴を時系列で保持してユーザに提示し、ユーザがその中から重要な無線通信エリアを探す場合よりも、短時間でユーザに重要な無線通信エリアを判明させることができる。
【発明を実施するための最良の形態】
【００１１】
以下、図面を参照しながら、本発明における情報提示装置の実施形態について詳細に説明するが、先ず、本実施形態に係る情報提示装置の構成について説明する。図１は、本発明の一実施形態に係る情報提示装置の内部構成を示すブロック図である。同図に示すように、情報提示装置４００は、操作手段４０１、表示手段４０２、提示情報生成手段４０３、地図データベース（地図ＤＢ）４０４、及びスコープ保持部４０５を備えて構成されている。また、スコープ保持部４０５は、エリア毎操作履歴保持手段４０６、エリア毎操作履歴取得手段４０７、及び操作履歴データベース（操作履歴ＤＢ）４０８を備えて構成されている。
【００１２】
次に、各構成要素の機能について詳述する。
操作手段４０１は、ユーザが情報提示装置４００の操作を行うための入力インターフェースであり、ユーザからの指示（操作情報）の入力を受け付ける。ユーザから操作手段４０１へ入力された操作情報は提示情報生成手段４０３へ出力される。このとき、操作手段４０１から提示情報生成手段４０３へ出力される操作情報は、例えば、地図の拡大／縮小、表示エリアの変更などの地図操作、新規基地局の設置、または基地局パラメータの変更などの設計操作情報（設計情報）である。
【００１３】
地図ＤＢ４０４は、地図情報を記憶するデータベースである。地図ＤＢ４０４が記憶する地図情報は、例えば、二次元地図、三次元地図、写真、基地局設置位置、及び基地局設定などの設計パラメータに応じたエリア（無線通信エリア）毎の受信レベルの情報などであり、これらは予め地図ＤＢ４０４に記憶されている。また、提示情報生成手段４０３から地図ＤＢ４０４へ、新たな表示エリアの情報と新たな設計パラメータの情報とが入力されると、地図ＤＢ４０４から提示情報生成手段４０３へ対応する地図情報が出力される。
【００１４】
提示情報生成手段４０３は、ユーザの操作に応じてユーザに提供する情報（提示情報）を生成する機能を有する。この提示情報生成手段４０３には、図示しない基地局の近傍における電波伝搬特性を推定する機能が含まれる。また、提示情報生成手段４０３には操作手段４０１から操作情報が入力される。このとき、操作手段４０１から提示情報生成手段４０３へ入力された操作情報が地図操作情報（つまり、地図情報を入力操作するための操作情報）であれば、表示手段４０２へ新たに表示するエリアを決定し、その地図操作情報を、提示情報生成手段４０３から地図ＤＢ４０４及びスコープ保持部４０５のエリア毎操作履歴保持手段４０６へ出力する。
【００１５】
また、操作手段４０１から提示情報生成手段４０３へ入力された操作情報が設計操作情報（設計情報）であれば、提示情報生成手段４０３から地図ＤＢ４０４へ新たな設計パラメータ情報を出力し、さらに、提示情報生成手段４０３からエリア毎操作履歴保持手段４０６へ設計操作情報を出力する。また、地図ＤＢ４０４から提示情報生成手段４０３へは新たに表示すべき地図情報が入力される。
【００１６】
また、提示情報生成手段４０３からエリア毎操作履歴取得手段４０７に対して、表示するエリアの情報を含むエリア毎の操作履歴要求を出力すると、エリア毎操作履歴取得手段４０７から提示情報生成手段４０３へエリア毎に集計された操作履歴情報が入力される。さらに、提示情報生成手段４０３は、表示手段４０２に対して、地図ＤＢ４０４から取得した地図情報と、エリア毎操作履歴取得手段４０７から取得したエリア毎に集計された操作履歴情報とを合わせて出力する。
【００１７】
エリア毎操作履歴保持手段４０６は、表示手段４０２に表示されているエリア情報と、当該エリアを表示しながら実行された設計操作情報、例えば、無線基地局の動作パラメータの変更、新しい無線基地局の追加、及び無線基地局位置の変更などの設計操作情報とを関連付けて記憶する。このエリア毎操作履歴保持手段４０６には、提示情報生成手段４０３から表示するエリアの情報と設計操作情報とが入力される。また、エリア毎操作履歴保持手段４０６から操作履歴ＤＢ４０８へ、設計操作情報と最新に表示されたエリア情報とが合わせて出力される。
【００１８】
操作履歴ＤＢ４０８は、エリア毎の操作履歴を記憶するデータベースである。この操作履歴ＤＢ４０８には、エリア毎操作履歴保持手段４０６から設計操作情報と表示されたエリア情報が入力される。また、操作履歴ＤＢ４０８に、エリア毎操作履歴取得手段４０７から取得を要求するエリア情報を含む操作履歴情報要求が入力されると、操作履歴ＤＢ４０８からエリア毎操作履歴取得手段４０７に対して、要求されたエリアの操作履歴情報が出力される。
【００１９】
ここで、図２を用いて操作履歴ＤＢ４０８が記憶するエリア毎の操作履歴情報８００を説明する。なお、図２は、図１に示す情報提示装置４００の操作履歴ＤＢ４０８に格納された操作履歴情報を示す図である。操作履歴情報８００は、表示されたエリア情報（表示エリア情報）と設計操作情報とによって構成され、両者は関連付けられている。例えば、表示エリア情報が『○○ビル』の場合は設計操作情報が『基地局設置』、表示エリア情報が『□□ビル』の場合は設計操作情報が『基地局パラメータ変更』などというように関連付けられている。ここでの表示エリア情報は地理的な位置を特定できる情報であればよい。図２においては中心位置の建物情報を示しているが、これ以外にも、例えば、格子状に区切られた地図の代表点（例えば中心位置）の緯度、経度などを示す情報であってもよい。
【００２０】
エリア毎操作履歴取得手段４０７は、エリア毎に、当該エリアを表示しながら実行された設計操作履歴を取得する機能を提供する。提示情報生成手段４０３からエリア毎操作履歴取得手段４０７へ、表示するエリア情報を含むエリア毎の操作履歴要求が入力されると、エリア毎操作履歴取得手段４０７から操作履歴ＤＢ４０８へ当該エリアにおける操作履歴情報が出力される。
【００２１】
また、操作履歴ＤＢ４０８からエリア毎操作履歴取得手段４０７へ操作履歴情報が入力されると、エリア毎操作履歴取得手段４０７から提示情報生成手段４０３へエリア毎に集計された操作履歴情報が出力される。このとき、エリア毎操作履歴取得手段４０７が行う操作履歴情報のエリア毎の集計方法は、全ての設計操作回数を加算してもよいし、設計操作種別ごとに設計操作回数を加算してもよい。さらに、エリア毎操作履歴取得手段４０７が操作履歴情報を集計するエリアの単位サイズは可変であってもよい。例えば、表示手段４０２に広域エリアが表示されている場合は、操作履歴情報を集計するエリアの単位サイズを大きくし、表示手段４０２に狭いエリアが表示されている場合は、操作履歴情報を集計するエリアの単位サイズを小さくしてもよい。さらに、特に操作履歴情報が狭い範囲で多く集中している（密度が高い）エリアでは、集計するエリアの単位サイズを小さくし、操作履歴情報が広い範囲に分散している（密度が低い）エリアでは、集計するエリアの単位サイズを大きくしてもよい。
【００２２】
表示手段４０２は、ユーザに対する情報出力インターフェースである。ここで、表示手段４０２がユーザに出力（表示）する情報は、提示情報生成手段４０３から表示手段４０２へ入力された地図情報と、エリア毎操作履歴取得手段４０７によってエリア毎に集計された操作履歴情報である。表示手段４０２が行うエリア毎に集計された操作履歴情報の出力方法は、表形式であってもよいし、地図上に操作履歴情報の値を重畳して表示してもよい。また、エリア毎に集計された操作履歴情報を、値の大小に応じて色分けして地図上に重畳して表示してもよい。さらに、表示手段４０２は、ユーザの操作に応じて、エリア毎に集計された操作履歴情報の表示と非表示を切り替えてもよい。
【００２３】
図４は、図１に示す情報提示装置４００による情報提示画面の一例を示す図である。すなわち、この図は、エリア毎に集計された設計操作の履歴情報（操作履歴情報）を、表形式の情報提示画面を表示することにより、ユーザに提示する場合の例を示している。図４において、情報提示画面６０７は、二次元地図表示領域６００、三次元地図表示領域６０１、及び操作頻度提示領域６０２によって構成されている。二次元地図表示領域６００には、無線設計を行っているエリアの二次元地図が表示される。また、二次元地図表示領域６００に表示される二次元地図上には、基地局６０４と基地局６０４からの送信波の受信レベルに応じて色分けされた領域（エリア）６０５が重畳されている。
【００２４】
さらに、二次元地図表示領域６００に表示される二次元地図上には、三次元地図の表示視点６０３も重畳表示される。また、三次元地図表示領域６０１には、表示視点６０３から見た三次元地図（すなわち、○×ビル周辺の拡大地図）が表示される。さらに、操作頻度提示領域６０２には、二次元地図表示領域６００に表示された範囲のエリアで、エリア毎に三次元地図上に表示しながら設計操作を行った回数を示す設計操作回数６０６が表示される。例えば、オブジェクトが○×ビルのエリアの設計操作回数は“１５”として表示される。
【００２５】
図５は、図１に示す情報提示装置４００による情報提示画面の他の例を示す図である。すなわち、この図は、エリア毎に集計された設計操作の履歴情報（操作履歴情報）を二次元地図上に重畳して表示する場合の例を示している。情報提示画面７００には二次元地図が表示され、基地局７０１が重畳されている。領域（エリア）７０２、７０３には、当該エリアを表示しながら設計操作を行った回数に応じて決められた色が二次元地図上に重畳されている。
【００２６】
次に、図３のフローチャートを用いて、図１に示す本実施形態に係る情報提示装置４００の表示動作の流れを説明する。図３は、図１に示す情報提示装置４００の表示動作の流れを示すフローチャートである。まず、情報提示装置４００で実行されるプログラムを起動すると、操作手段４０１はユーザによる操作入力を待つ（ステップＳ５００）。ここで、ユーザの操作入力がなされると、操作手段４０１が提示情報生成手段４０３に対して操作情報を出力するので、提示情報生成手段４０３は操作手段４０１から入力された操作情報の操作種別を判定する（ステップＳ５０１）。
【００２７】
ここで、操作手段４０１から提示情報生成手段４０３へ入力された操作情報の操作種別が地図操作であれば（ステップＳ５０１：地図操作）、提示情報生成手段４０３は、地図ＤＢ４０４とエリア毎操作履歴保持手段４０６に対して新たに表示するエリアの地図情報を出力し、地図ＤＢ４０４は、新たに表示するエリアの地図情報を提示情報生成手段４０３に対して出力する。これによって、提示情報生成手段４０３は新たに表示するエリアの地図情報を取得する（ステップＳ５０３）。なお、エリア毎操作履歴保持手段４０６は入力された新たに表示するエリアの地図情報を記憶する。
【００２８】
その後、提示情報生成手段４０３が、エリア毎操作履歴取得手段４０７に対して新たに表示するエリア情報（つまり、表示するエリアの地図情報）を含むエリア毎の操作履歴要求を出力すると、エリア毎操作履歴取得手段４０７は、操作履歴ＤＢ４０８からエリア毎の操作履歴情報を取得し、このエリア毎の操作履歴情報をエリア毎に集計して提示情報生成手段４０３へ出力する。これによって、提示情報生成手段４０３は、エリア毎に集計されたエリア毎の操作履歴情報を得る（ステップＳ５０４）。
【００２９】
次に、提示情報生成手段４０３は、新たに表示する地図情報とエリア毎に集計されたエリア毎の操作履歴情報とを合わせて提示情報を生成し、この提示情報を表示手段４０２へ出力する（ステップＳ５０５）。すると、表示手段４０２は、提示情報生成手段４０３から入力された提示情報（すなわち、地図情報に重畳されたエリア毎の操作履歴情報）を画面上に表示する（ステップＳ５０６）。
【００３０】
一方、ステップＳ５０１において、操作手段４０１から提示情報生成手段４０３へ入力された操作情報の操作種別が設計操作情報であれば（ステップＳ５０１：設計操作）、提示情報生成手段４０３は、エリア毎操作履歴保持手段４０６に対して入力された設計操作情報を出力し、エリア毎操作履歴保持手段４０６は、自己が保持している最新の表示エリアの情報と、提示情報生成手段４０３から入力された設計操作情報とを関連付けて、エリア毎の操作履歴情報を操作履歴ＤＢ４０８へ書き込む（ステップＳ５０２）。
【００３１】
その後は、入力された操作情報が地図操作情報の場合と同様に、提示情報生成手段４０３が新たに表示するエリアの地図情報を取得して、ステップＳ５０３〜Ｓ５０６が実行され、表示手段４０２が、提示情報生成手段４０３から入力された提示情報（地図情報に重畳されたエリア毎の操作履歴情報）を画面上に表示する。
【００３２】
次に、図３のフローチャートを用いて、表示手段４０２が表示するエリア毎の操作履歴情報の具体例について説明する。この具体例では、図３のフローチャートで示されたユーザの設計操作入力時にエリア毎の操作履歴を記録し、新たな設計操作情報を生成して表示する場合について説明する（ステップＳ５００、Ｓ５０２、及びＳ５０２〜Ｓ５０６参照）。なお、操作履歴ＤＢ４０８には図４に示す情報提示画面の情報が予め記録されているものとする。さらに、ユーザにも図４の情報提示画面が提示されているものとする。
【００３３】
まず、ステップＳ５００において、ユーザが操作手段４０１により基地局６０４の設定パラメータの変更操作が行われる、操作手段４０１は、入力された設計パラメータの変更操作情報を提示情報生成手段４０３に出力する。従って、ステップＳ５０１の操作種別の判定結果は『設計操作』となるので、提示情報生成手段４０３は、エリア毎操作履歴保持手段４０６へ設定パラメータの変更操作情報を出力する。
【００３４】
そして、ステップＳ５０２において、エリア毎操作履歴保持手段４０５は、現在の三次元地図表示エリアである「○×ビル」の情報（つまり、図４の三次元地図表示領域６０１の情報）と、設定パラメータの変更操作情報とを操作履歴ＤＢ４０８に記録する。その後、ステップ５０３において、提示情報生成手段４０３は、新たな設定パラメータを用いて地図情報を取得し、エリア毎の受信レベルパワーを推定する。さらに、ステップ５０４において、提示情報生成手段４０３は、図４の二次元地図表示領域６００に表示されているエリアに対するエリア毎の操作履歴情報を出力する。また、ステップＳ５０４において、エリア毎操作履歴取得手段４０７は、操作履歴ＤＢ４０８から当該エリアの操作履歴情報を取得して集計し、そのエリアの操作履歴情報を提示情報生成手段４０３へ出力する。
【００３５】
その後、ステップ５０５において、提示情報生成手段４０３は、地図ＤＢ４０４から得た地図情報と、エリア毎操作履歴取得手段４０７から得たエリア毎に集計された操作履歴情報とを重ね合わせて表示手段４０２へ出力する。すると、ステップＳ５０６において、表示手段４０２は、地図ＤＢ４０４から取得した地図情報を元に、領域６０５の表示内容を更新し、エリア毎操作履歴取得手段４０７から取得したエリア毎に集計された操作履歴情報を元に設計操作回数６０６の値を更新する。すなわち、設計操作回数６０６に表示されたオブジェクト『○×ビル』に対応する操作回数『１５』を操作履歴情報に基づいて例えば『１６』に更新する。
【００３６】
以上説明した情報提示装置によれば、電波伝搬解析装置を用いた無線設計においてユーザへ重要エリアを提示することができるので、無線通信品質の劣化したエリアやビルなどが林立するエリアを特定して無線通信システムを設計する場合などに有効に利用することができる。
【図面の簡単な説明】
【００３７】
【図１】本発明の一実施形態に係る情報提示装置の内部構成を示すブロック図である。
【図２】図１に示す情報提示装置４００の操作履歴ＤＢ４０８に格納された情報を示す図である。
【図３】図１に示す情報提示装置４００の表示動作の流れを示すフローチャートである。
【図４】図１に示す情報提示装置４００による情報提示画面の一例を示す図である。
【図５】図１に示す情報提示装置４００による情報提示画面の他の例を示す図である。
【符号の説明】
【００３８】
４００  情報提示装置
４０１  操作手段
４０２  表示手段
４０３  提示情報生成手段
４０４  地図ＤＢ
４０５  スコープ保持部
４０６  エリア毎操作履歴保持手段
４０７  エリア毎操作履歴取得手段
４０８  操作履歴ＤＢ
６００  二次元地図表示領域
６０１  三次元地図表示領域
６０２  操作頻度提示領域
６０３  表示視点
６０４、７０１  基地局
６０５、７０２、７０３  領域
６０６  設計操作回数
６０７、７００  情報提示画面
８００  操作履歴情報
【図１】
2010011221.tif 000003
【図２】
2010011221.tif 000004
【図３】
2010011221.tif 000005
【図４】
2010011221.tif 000006
【図５】
2010011221.tif 000007